【手続補正書】
【提出日】平成16年7月15日(2004.7.15)
【手続補正１】
【補正対象書類名】明細書
【補正対象項目名】全文
【補正方法】変更
【補正の内容】
【書類名】        明細書
【発明の名称】  ベッド用収納設備
【特許請求の範囲】
【請求項１】  ベッドのフレームの下面に、後付け収納設備を保持するための支持部材を下向きに具備させる一方、ベッドの下部空間に出し入れ可能に収まる大きさで底部に車輪を取付けて前面を開口した箱体であって、抽出体を出し入れ自在に収納した箱体を、前記支持部材に係止離脱可能に係止される当該箱体に備えた係止機構を介してベッドの下部空間に挿装することを特徴とするベッド用収納設備。
【請求項２】  係止機構は、バネにより付勢された出没自在のロックピンとこのピンを受け入れるピン穴とを、支持部材と箱体との対向面とに設けて形成した請求項1に記載したベッド用収納設備。
【請求項３】  箱体の天板にクッション材を装着した請求項１又は２に記載のベッド用収納設備。
【請求項４】  抽出体の手前側には、箱体への収納時に床面から少し浮上する車輪を取付けた請求項１〜３のいずれかに記載のベッド用収納設備。
【請求項５】  抽出体の底板又は側板、或は、抽出体と箱体の底板又は側板に、通気部を設けた請求項１〜４のいずれかに記載のベッド用収納設備。
【請求項６】 ベッドのフレームの下面に係止機構のロック部材を下向き出没自在にして設け、底部に車輪を備え上面に前記ロック部材の係合穴を設けて前面から抽出体を出入れ自在に収納した箱体を、前記ロック部材の作用で前記ベッドの下部空間に出し入れ可能に挿装して保持するようにしたことを特徴とするベッド用収納設備。
【請求項７】 ベッドの下部空間に、底部に車輪を備え前面を開口した箱体にその前面から出入自在に収納した抽出体を備えて形成した収納設備を、出入れ自在に保持して配設したベッド収納設備において、箱体の天板の全面乃至一部の面にクッションを装着して成り、前記収納設備をベッド下部から引出したとき当該設備のクッション付き天板を着座面として用いるようにしたことを特徴とするベッド用収納設備。
【請求項８】 抽出体の手前側下面には、箱体から引出した抽出体の荷重を支持する車輪を設けた請求項６のベッド用収納設備。
【発明の詳細な説明】
【０００１】
【発明の属する技術分野】
本発明は、既存，既設のベッドの下部空間を利用したベッド用収納設備に関するものである。
【０００２】
【従来の技術】
既存，既設のベッドの下部空間に抽出状の収納部を設けたベッド用収納設備は公知である。例えば、本出願人が先に出願して特開平11―155693号公報に開示されたものはそのひとつである。
【０００３】
このベッド用収納設備は、ベッドのフレームに、その下面から略棒状又は筒状の支持体を着脱自在に垂下させて設けると共に、前記支持体と遊挿嵌合する被支持体を側面に設けた立壁体を用いて前面が開口した平面矩形状の枠体を形成し、該枠体を前記支持体と被支持体を遊挿嵌合させて前記ベッドの下面に配置する一方、該矩形状枠体に、その開口部から有底箱状の抽出体を出入自在に挿装するようにしたものである。
【０００４】
上記のベッド用収納設備は、既存，既設のベッドの下部空間に、後から容易に装着したり取り外すことができ、また、前記下部空間の高さに多少の違いがあったり、ベッドがその使用時に多少撓むことがあっても、そのような高さの違いや撓みに対応できるように矩形状枠体がベッド側と連繋されているので、抽出体を出し入れには何ら支障なく有用されている。
【０００５】
しかし、このベッド用収納設備は、ベッド全体を移動させるとき、収納設備を構成する前記枠体をベッドと一緒に動かしたい場合、当該枠体にキャスタのような走行手段がないと、収納設備全体をベッドから分離したり、抽出体を枠体から離脱させた状態でベッドの移動をさせることになる。そうであると、ベッドの移動に伴う収納設備の移動が容易ではなく、また抽出体を枠体から離脱させてから移動すると、抽出体を他の移動中の抽出体と混同したり、抽出体の中の収納物が散逸するおそれがある。
【０００６】
【発明が解決しようとする課題】
本発明は、上述のような従来技術に鑑み、既存，既設のベッドの下部空間を利用した後付けの収納設備であって、前記下部空間の高さの変化や使用中のベッドの撓みにも対応できることは勿論、ベッドの移動時には収納設備全体をベッドと一体的に移動可能に形成して、抽出体を収納設備から離脱させる必要がなく、また収納物も散逸するおそれのない後付けタイプのベッド用収納設備を提供することを、その課題とするものである。
【０００７】
【課題を解決するための手段】
上記課題を解決することを目的としてなされた本発明ベッド用収納設備の構成は、ベッドのフレームの下面に、後付け収納設備を保持するための支持部材を下向きに具備させる一方、ベッドの下部空間に出し入れ可能に収まる大きさで底部に車輪を取付けて前面を開口した箱体であって、抽出体を出し入れ自在に収納した箱体を、前記支持部材に係止離脱可能に係止される当該箱体に備えた係止機構を介してベッドの下部空間に挿装することを特徴とするものである。
【０００８】
本発明では、上記箱体の天板の一部乃至は全体にクッション体を装着し、この箱体をベッドの下から引出して、ストールや踏み台として使用できるように形成することがある。
【０００９】
抽出体の手前側に、箱体への収納時に床面から少し浮上した状態で車輪を取付けて、箱体の移動時に抽出体の車輪が邪魔にならないようにする一方、この箱体から抽出体を引出したときには、抽出体の車輪を着床させることにより、引出した抽出体が前下りに傾くことがなく、抽出体の箱体への出入れ、或は、その抽出体への物品の出入れを円滑に行うことができる。
【００１０】
抽出体の底面や側面、或は、この構成に加え箱体の底面や側面に通気用の穴やスリットによる通気部を設けて、収納設備内の収容物の湿気を放散し易いように形成することもある。
【００１１】
【発明の実施の形態】
次に、本発明の実施の形態例を図により説明する。図１は本発明収納設備を適用するベッドの一例の斜視図、図２は図１のベッドに適用する本発明収納設備の一例の概要を示した斜視図、図３は本発明収納設備の要部を断面にした側面図、図４は図３の収納装置の要部を断面にした正面図、図５は箱体の係止機構を一例を示した断面拡大図、図６は係止機構を箱体の後部に設けた例の断面図、図７はベッドの下部に本発明設備を３体挿装した例の正面図である。
【００１２】
図１のベッドは、金属製パイプ材を主体にフレームＦを形成し、このフレームＦの床上にマットＭを載置して形成されている。本発明は、このベッドの床を形成する枠フレーム部材f1と棧フレーム部材f2の下面に、図２に例示する形態の収納設備を配置するようにしたものである。以下、この収納設備について詳述する。
【００１３】
図１〜図５において、ベッドフレームＦの棧フレームf2の下面には、枠フレームf1と平行に、収納設備取付け用のレール状取付体Brが取付けられている。レール状取付体Brの下面には、収納設備を着脱可能にガイドして装着するためのガイド体であって、前記棧フレームf2と平行な２本のガイド体Ｇが設けられている。この例では前記取付体Brとガイド体Ｇは収納設備をベッドのフレームに取付けるための係止機構Ｒの支持部材となる。従って、係止機構Ｒをベッドのフレームに設けることができると、支持部材はベッドのフレームに兼用させられる。この実施例では、前記２本のガイド体Ｇの幅（間隔）は、後述する収納設備の幅と略同等である。棧フレームf2と平行に前記取付体Br，Brの下面に取付けられた、ここでは２本のガイド体Ｇ，Ｇは、Ｌ型チャンネル材などにより形成し、ガイド体Ｇの手前側（前方）又は奥側（後方）、若しくは、前後双方に、図５に例示する構造の係止機構Ｒが設けられている。ベッドのフレームがガイド体Ｇとなる場合には係止機構Ｒは当該フレームに設けられる。なお、ガイド体Ｇの奥側端（後端）には、箱体２の挿入エンドを規制する立壁状のストッパStが設けられている。前記係止機構Ｒは、後述する本発明収納設備Ｓの箱体２をベッドフレームＦに結合するためのもので、一例として図５に示す構成を具備している。
【００１４】
図５の係止機構Ｒは、ガイド体Ｇの手前側の立壁内面に、バネ1aにより常時押下されるロック部材としてのピン1bを、ピンガイド1cに案内支持させて設けると共に、前記ピン1bをバネ1aの撥力に抗して上方へ移動させるための操作レバー1dを、その先端部を前記ピン1bに枢着1eさせ、かつ、このレバー1dの中間を前記ガイド体Ｇに枢着1fすることにより、上記ガイド体Ｇに設けられている。なお、前記ピン1bはその自重により垂下させてもよい。この係止機構Ｒは、図６に例示するように、ガイド体Ｇの後部に設けることもある。図６の係止機構Ｒにおいて、図５と同一符号は同一部材を示すが、図６において、1gは連結バー、1hは手元レバーであり、操作レバー1dは連結ピン1iにより連結バー1gと手元レバー1hに連結され、手元レバー1hは、軸1jによりガイド体Ｇに軸着されている。
【００１５】
２は、下面の略四隅に４個の車輪３を取付けると共に、ここでは前面のみを開口した平面矩形状をなすここでは有底の箱体で、上面の左右両側に前記係止機構Ｒにおけるロック部材としてのピン1bを係合するためのピン穴2aが形成されている。このピン穴2aは、前述のガイド体Ｇ，Ｇに設けた係止機構Ｒの設置位置に対向して設けられる。この箱体２の上面と係止構造Ｒの下面の間には、ベッドフレームＦが撓んでも、ガイド体Ｇの下面と箱体２の上面が干渉することのない隙間（ギャップ）が保持されるように、箱体２の上面の位置が箱体２の深さや車輪３の高さによって、予め調節されているものとする。係止機構Ｒのロックピン1bが箱体２のピン穴2aに挿入することにより、この箱体２がベッドの下に位置決めされるのである。４，４は箱体２の左右両側板2b，2bの内側に取付けた抽出用のサスペンション部材、５は箱体２の上面に必要に応じて貼着するなどして装着したプラスチック発泡体等による座板用のクッション体である。
【００１６】
６は、上記箱体２の内部に挿入する抽出体で、前部（手前側）中央の下面に車輪７を取付け、左右両側板6a，6aの外側には、上記箱体２の前記サスペンション部材４にスライド自在に装着されてサスペンション部材４と協働するスライド部材８が取付けられており、該スライド部材８が前記サスペンション部材４の内部にスライド自在に収装されることにより、抽出体６の箱体２への出入れが自在かつ円滑に行うことができるようになっている。また、抽出体６の前記車輪７は、抽出体６を箱体２内に収納してた際、床面より少し浮上するように取付ける。これは、抽出体６を箱体２から引出したとき、抽出体６の手前側が垂れ下がることがないようにして、抽出体６の出入れやその内部への物品の出入れを円滑にできるようするためである。なお、抽出体６の内部には、適宜仕切り板6bを設け、必要に応じて側板6bや底板6cに通気孔やスリット（図示せず）を設けて通気を良くしたりたり、上部にトレー6dを設けるなどして、使い勝手を良くするものとする。通気孔やスリットは、箱体２の底板や側板2bに設けることもある。また、箱体２の車輪３と抽出体６の車輪７との位置関係は、車輪７が車輪３より手前側に位置しているが、この位置関係は任意である。
【００１７】
本発明ベッド用収納設備Ｓの一例は、上記のように構成されるが、そのベッドへの取付けは、次の通りである。まず、係止機構Ｒのロックピン1bはその下端面が手前側が短かい傾斜面に形成されているので、ベッドフレームＦの外部に置いた本発明収納設備Ｓ、即ち、抽出体６を収納した状態の箱体２を、ベッドフレーム側の２本のガイド体Ｇ，Ｇの真下に合せてそのままガイド体Ｇ，Ｇの下に直進させると、前記ロックピン1bはその下端傾斜面が箱体２の上面端部に当接し、徐々にバネ1aの撥力に抗して上方へ押し上げられる。従って、そのまま箱体２を押進させると、ロックピン1bが箱体２のピン穴2aに合致し、前記ピン1bがバネ1aの作用でピン穴2aに挿入されて、箱体２がベッド下面でこの位置に固定されることとなる。この状態で、抽出体６はサスペンション部材４とスライド部材８の作用で箱体２に対して出入れ自在である。
【００１８】
本発明収納設備ＳをベッドフレームＦから離脱させるには、係止機構Ｒの操作レバー1dを下方へ押下げてやると、ロックピン1bがバネ1aの撥力に抗して、ピン穴2aから離脱させられるので、この状態で箱体２を手前側に引出すと、抽出体６を収納したまま、箱体２をベッドフレームＦの下面から引出すことができる。
【００１９】
本発明収納設備Ｓは、それをベッドフレームＦの下面側に係止機構Ｒによって固定されているので、この状態のままでベッドを水平移動させると、抽出体６を納めた箱体２ごと一緒に水平移動させることができる。
【００２０】
【発明の効果】
本発明は上述のとおりであって、ベッドのフレームの下面に、係止機構をそのロックピンを下向き出没自在にして取付け、底板の裏面四隅に車輪を取付けた前面を開口した箱体を、前記ロックピンの作用でベッドの下部空間に出し入れ可能にして挿装して保持、この箱体に抽出体を収納収納するようにしたから、ベッドの下部空間を有効に使用できると共に、収納設備全体をベッドと一体的に水平移動させることができる。
【００２１】
また、収納設備のフレームとなる箱体は、その上面に座板としてクッション体を設けておけば、必要に応じベッド下面から箱体を取り出して、上面をストールや踏み台として使用できるので、使用上極めて便利である。
【００２２】
更に、抽出体は、その手前側中央に車輪を取付け且つこの車輪が箱体への収納時に床面から少し浮上するように設けることにより、箱体への出入れ操作を容易に行うことができると共に、抽出体を引き出した際、まず、手前の車輪が着床するので、抽出体が手前側に傾くこともなく、使い勝手が良好である。
【００２３】
従って、本発明収納設備は、ベッドの下面に必要に応じて設置する収納設備として極めて有用である。
【図面の簡単な説明】
【図１】  
本発明収納設備を適用するベッドの一例の斜視図。
【図２】
図１のベッドに適用する本発明収納設備の一例の概要を示した斜視図。
【図３】
本発明収納設備の要部を断面にした側面図。
【図４】
図３の収納装置の要部を断面にした正面図。
【図５】
箱体の係止機構を一例を示した断面拡大図。
【図６】
係止機構の他の例の断面図。
【図７】
ベッドの下部に本発明設備を３体挿装した例の正面図。
【符号の説明】
Ｆ  フレーム
f1  枠フレーム部材
f2  棧フレーム部材
Ｍ  マット
Br  レール状取付体
Ｇ  ガイド体
Ｓ  収納設備
Ｒ  係止機構
２  箱体
３  箱体の車輪
４  サスペンション部材
５  クッション体
６  抽出体
７  抽出体の車輪
８  スライド部材